(57)【要約】      （修正有）【課題】取付具が生地に隠されて不可視の隠し取付具付きのシームレス裏面バックルを提供する。【解決手段】生地１と、生地に配置された複数行の取付具２とを備える隠し取付具付きのシームレス裏面バックルであって、生地は、表面層および底層を有し、中間層３は、表面層と底層との間に配置され、複数行の取付具は、中間層に配置され、スルーホールが、表面層上の、それぞれの取付具に対応する位置に形成され、それぞれのスルーホールは、中間層の内部と連通される。隠し構造が、裏面バックルの取付具のために採用され、肌着市場に新しいアイディアを提供し、表面処理が不要なため効果的に生産手順を単純化して生産コストを低減できる。【選択図】図１
0003221839.tif 000002
【実用新案登録請求の範囲】
【請求項１】
生地と、前記生地に配置された複数行の取付具とを備える隠し取付具付きのシームレス裏面バックルであって、
前記生地は、表面層および底層を有し、中間層が、前記表面層と前記底層との間で配置され、前記複数行の取付具は、前記中間層内に配置され、
スルーホールが、前記表面層上の、それぞれの取付具に対応する位置において形成され、それぞれのスルーホールは、前記中間層の内部と連通される、
隠し取付具付きのシームレス裏面バックル。
【請求項２】
すべての前記スルーホールは、直線状のスルーホールである、請求項１に記載の隠し取付具付きのシームレス裏面バックル。
【請求項３】
それぞれのスルーホールの前記位置は、それぞれの取付具の、肌着のフックとバックリング関係を形成するための片側の位置に対応する、請求項２に記載の隠し取付具付きのシームレス裏面バックル。
【請求項４】
前記スルーホールの長さは、前記取付具の、前記肌着の前記フックと前記バックリング関係を形成するための片側の長さと等しい、またはそれより僅かに大きい、請求項３に記載の隠し取付具付きのシームレス裏面バックル。
【請求項５】
前記生地の縁部には、伏せ縫い構造が提供される、請求項１に記載の隠し取付具付きのシームレス裏面バックル。
【請求項６】
前記生地は、布製である、請求項１に記載の隠し取付具付きのシームレス裏面バックル。
【請求項７】
前記取付具は、金属製または硬質プラスティック製である、請求項１に記載の隠し取付具付きのシームレス裏面バックル。
【請求項８】
請求項１から７の何れか一項に記載の隠し取付具付きのシームレス裏面バックルを備える肌着。
【考案の詳細な説明】
【技術分野】
【０００１】
本考案は、婦人用肌着の技術分野に関し、特に、隠し取付具付きのシームレス裏面バックルおよび当該隠し取付具付きのシームレス裏面バックルを備える肌着に関する。
【背景技術】
【０００２】
従来の肌着製造業において、ほとんどの肌着は、裏面バックルを備えて設計されている。裏面バックルは主に、使用者に肌着の締め付け具合を調整させるために用いられる。現在、市場の裏面バックルは基本的に、複数行の露出された取付具が生地に配置されるとなるような構造を有する。各行の取付具の数は、同じで様々である。既存の裏面バックルの取付具は外側に露出され、市場では、隠し取付具設計の肌着の裏面バックルが存在していない。
【考案の概要】
【０００３】
先行技術の欠点を考慮して、本考案は、隠し取付具付きのシームレス裏面バックルおよび肌着を提供することを目的とする。新しい隠し構造が、裏面バックルの取付具のために採用され、肌着市場に新しいアイディアを提供し、効果的に生産手順を単純化して生産コストを低減することができる。
【０００４】
上述の目的を達成するため、本考案は、以下の技術的解決手段を採用する。隠し取付具付きのシームレス裏面バックルが、生地と、生地に配置された複数行の取付具とを備え、生地は、表面層および底層を有し、中間層が表面層と底層との間で配置され、複数行の取付具は、中間層に配置され、スルーホールが、表面層上の、それぞれの取付具に対応する位置において形成され、それぞれのスルーホールは、中間層の内部と連通される。さらに、すべてのスルーホールは、直線状のスルーホールである。
【０００５】
さらに、それぞれのスルーホールの位置は、それぞれの取付具の、肌着のフックとバックリング関係を形成するための片側の位置に対応する。
【０００６】
さらに、スルーホールの長さは、当該取付具の、肌着のフックとバックリング関係を形成するための片側の長さと等しい、またはそれより僅かに大きい。さらに、生地の縁部には、伏せ縫い構造が提供される。さらに、生地は、布製である。さらに、取付具は、金属製または硬質プラスティック製である。本考案はまた、当該隠し取付具付きのシームレス裏面バックルを備える肌着を提供する。本考案は、以下の有益な効果を有する。
【０００７】
１．現在、市場では、隠し取付具付き裏面バックルが存在してない。従って、本考案は、既存の肌着市場に新しいアイディアをもたらす。
【０００８】
２．本考案において、取付具は常に生地に隠され、消費者には不可視である。従って、取付具の材料を選択する際に、取付具の外観について過度に考慮する必要がなく、選択可能な材料の範囲がより幅広くなる。
【０００９】
３．現在、取付具の製造において、通常、染色および電気めっきなどの改良処理を行うことが必要であるが、隠し取付具によれば、これらの工程を省略することが可能であり、それによって、効果的に生産手順を単純化して生産コストを低減し、環境保護にも有益である。
【図面の簡単な説明】
【００１０】
【図１】本考案の例１の構造全体の概略図である（中間層、および中間層の内側の取付具の構造を示す）。
【図２】本考案の例１の概略正面図である。
【図３】本考案の例１の概略背面図である。
【図４】本考案の例２の構造全体の概略図である（中間層、および中間層の内側の取付具の構造を示す）。
【図５】本考案の例２の概略正面図である。
【図６】本考案の例２の概略背面図である。
【図７】本考案の例３の構造全体の概略図である（中間層、および中間層の内側の取付具の構造を示す）。
【図８】本考案の例３の概略正面図である。
【図９】本考案の例３の概略背面図である。
【図１０】本考案の例４の構造全体の概略図である（中間層、および中間層の内側の取付具の構造を示す）。
【図１１】本考案の例４の概略正面図である。
【図１２】本考案の例４の概略背面図である。
【考案を実施するための形態】
【００１１】
本考案はさらに、添付図面を参照して説明される。詳細な実施形態および具体的な作業工程は、技術的解決手段に基づき、以下の例に提示されるが、本考案の保護範囲は、これらの例に限定されないことに留意すべきである。
【００１２】
［例１］
図１〜３に示されているように、隠し取付具付きのシームレス裏面バックルは、生地１と、生地１に配置された複数行の取付具２とを備え、生地１は、表面層４および底層７を有し、中間層３が表面層４と底層７との間で配置され、複数行の取付具２は中間層３内に配置され、スルーホール５が、表面層４の、それぞれの取付具２に対応する位置で形成され、それぞれのスルーホール５は、中間層３の内部と連通される。
【００１３】
使用において、まず、肌着のフックをバックリングするある行の取付具を決定し、次に、肌着のフックを、当該行の取付具の位置に１対１の対応関係で対応するスルーホールにバックリングし、これにより、肌着のフックは、生地の中間層に入り、対応位置で取付具にバックリングされる。
【００１４】
本例において、表面層４および底層７は両方とも一体化構造であり、折り目線が前面から見えず、縫糸が裏面から見えない。
【００１５】
上述の隠し取付具付きのシームレス裏面バックルにおいて、取付具は常に生地に隠され、消費者には不可視である。従って、取付具の材料を選択する際に取付具の外観について過度に考慮する必要がなく、選択可能な材料の範囲がより幅広くなる。さらに、現在、取付具の製造において、通常、染色および電気めっきなどの改良処理を行う必要があるが、隠し取付具によれば、これらの工程を省略することが可能であり、それによって、効果的に生産手順を単純化して生産コストを低減し、環境保護にも有益である。
【００１６】
さらに、すべてのスルーホール５は、直線状のスルーホールである。直線状のスルーホールは、取付具をより完全に隠すことを可能にする。
【００１７】
さらに、それぞれのスルーホール５の位置は、それぞれの取付具２の、肌着のフックとバックリング関係を形成するための片側２１の位置に対応する。上述の配置により、肌着のフックは、スルーホールにバックリングされた後に、対応する取付具に迅速にバックリングされることができ、迅速にフックの位置を決定するのに役立つ。そして、フックは、スルーホールの部分において、生地に対して過剰な引張力を加えることができず、それによって、生地の保護に有益であり、生地が長期使用において傷むことを防ぐ。
【００１８】
さらに、スルーホール５の長さは、肌着のフックとバックリング関係を形成するための片側２１の長さと等しい、またはそれより僅かに大きい。
【００１９】
さらに、生地１の縁部には、伏せ縫い構造６が提供される。伏せ縫い構造は、生地の耐用年数を効果的に延長することができる。さらに、生地１は、布製である。さらに、取付具２は、金属製または硬質プラスティック製である。
【００２０】
上述の隠し取付具付きのシームレス裏面バックルは、様々なサイズの肌着に適用されることができる。
【００２１】
［例２］
図４〜６に示されているように、構造の面から、本例の隠し取付具付きのシームレス裏面バックルは、例１の隠し取付具付きのシームレス裏面バックルと実質的に同じであるが、本例において、表面層と底層とが一体化構造ではなく、これにより、折り目線が表面層から見え、縫糸が裏面から見える。さらに、本例において、生地１の縁部には、伏せ縫い構造６が提供される。
【００２２】
［例３］
図７〜９に示されているように、構造の面から、本例の隠し取付具付きのシームレス裏面バックルは、例２の隠し取付具付きのシームレス裏面バックルと実質的に同じであるが、本例において、底層が一体化され、これにより、縫糸が見えない（図９に示されているように）。
【００２３】
［例４］
図１０〜１２に示されているように、構造の面から、本例の隠し取付具付きのシームレス裏面バックルは、例１の隠し取付具付きのシームレス裏面バックルと実質的に同じである。本例において、伏せ縫い構造６が、表面層および底層の両方の縁部において施され、折り目線が表面層から見える。
【００２４】
当業者には上述の技術的解決手段および概念に基づき、様々な対応変更および変形が与えられ得ると同時に、これらの変更および変形はすべて、本考案の請求の範囲の保護範囲に含まれるべきである。
【図１】
0003221839.tif 000003
【図２】
0003221839.tif 000004
【図３】
0003221839.tif 000005
【図４】
0003221839.tif 000006
【図５】
0003221839.tif 000007
【図６】
0003221839.tif 000008
【図７】
0003221839.tif 000009
【図８】
0003221839.tif 000010
【図９】
0003221839.tif 000011
【図１０】
0003221839.tif 000012
【図１１】
0003221839.tif 000013
【図１２】
0003221839.tif 000014